(57)【要約】【課題】切断途中で可動刃が停止した場合でも開閉フレームを開けることができ、小型・コンパクトで廉価に構成可能なプリンタの鋏式記録紙切断装置を提案すること。【解決手段】プリンタ１の鋏式記録紙切断装置３０は、本体フレーム４０に搭載した固定刃３１と、開閉フレーム５１に搭載した可動刃３２を有し、固定刃３１は上下に回動可能な状態で板ばね９１によって上方に付勢されている。開閉フレーム５１を閉じると、可動刃３２の固定刃当接面３２ｃが固定刃３１の可動刃当接面３１ｂを押し込み、双方の刃の位置決めが自動的になされる。両刃の位置決め機構をコンパクトに構成できる。記録紙の切断途中で可動刃３２が停止しても、可動刃３２は開閉フレーム５１の開き方向の側から固定刃３１に交差しているので、その状態のままで開閉フレーム５１を開けて、かかる事態の回復作業を行うことができる。【選択図】      図３
2004268207.tif 000002
【特許請求の範囲】
【請求項１】
本体フレームと、前記本体フレームに対して、開閉可能に取り付けた開閉フレームとを有するプリンタに搭載されている鋏式記録紙切断装置において、
前記本体フレームに搭載されている第１の刃と、
前記開閉フレームに搭載されている第２の刃とを有し、
前記第１の刃は固定刃および可動刃の一方であり、前記第２の刃は固定刃および可動刃の他方であり、前記可動刃の刃先が点接触状態で前記固定刃の刃先に沿って摺動して、前記固定刃および可動刃の間を通過する記録紙が切断されるようになっており、
前記第１および第２の刃が相対移動すると、前記第２の刃の刃先は、前記第１の刃の刃先に対して、前記開閉フレームの開き方向の側から接触することを特徴とする鋏式記録紙切断装置。
【請求項２】
請求項１において、
前記開閉フレームを閉じると、前記第２の刃の一部が前記第１の刃の一部に対して、前記開き方向の側から当接して、前記第２の刃と前記第１の刃の相対的な位置決め状態が形成されることを特徴とする鋏式記録紙切断装置。
【請求項３】
請求項２において、
前記第１の刃の刃先側部分を前記開閉フレームの開閉方向に移動可能な状態で支持している支持部材と、
前記第１の刃の刃先部分を前記開き方向に向けて付勢している付勢部材とを有していることを特徴とする鋏式記録紙切断装置。
【請求項４】
請求項３において、
前記第１の刃は、その前端縁に前記刃先部分が形成され、その後端縁を中心として前記開閉フレームの開閉方向に旋回可能な状態で前記支持部材によって支持されていることを特徴とする鋏式記録紙切断装置。
【請求項５】
請求項２において、
前記第２の刃の刃先側部分を前記開閉フレームの開閉方向に移動可能な状態で支持している支持部材と、
前記第２の刃の刃先部分を前記開閉フレームの閉じ方向に向けて付勢している付勢部材とを有していることを特徴とする鋏式記録紙切断装置。
【請求項６】
請求項５において、
前記第２の刃は、その前端縁に前記刃先部分が形成され、その後端縁を中心として前記開閉フレームの開閉方向に旋回可能な状態で前記支持部材によって支持されていることを特徴とする鋏式記録紙切断装置。
【請求項７】
本体フレームと、前記本体フレームに対して、開閉可能に取り付けらた開閉フレームとを有するプリンタに搭載されている鋏式記録紙切断装置において、
前記本体フレームに搭載されている固定刃と、
前記開閉フレームに搭載されている可動刃とを有し、
前記可動刃の刃先が点接触状態で前記固定刃の刃先に沿って摺動して、前記固定刃および可動刃の間を通過する記録紙が切断されることを特徴とする鋏式記録紙切断装置。
【請求項８】
請求項７において、
前記可動刃の刃先は、前記固定刃の刃先に対して、前記開閉フレームの開き方向の側から接触することを特徴とする鋏式記録紙切断装置。
【請求項９】
請求項８において、
前記開閉フレームを閉じると、前記可動刃の一部が前記固定刃の一部に対して、前記開き方向の側から当接して、前記可動刃と前記固定刃の相対的な位置決め状態が形成されることを特徴とする鋏式記録紙切断装置。
【請求項１０】
請求項９において、
前記固定刃の刃先側部分を前記開閉フレームの開閉方向に移動可能な状態で支持している固定刃支持部材と、
前記固定刃の刃先部分を前記開閉フレームの開き方向に向けて付勢している付勢部材とを有していることを特徴とする鋏式記録紙切断装置。
【請求項１１】
請求項１０において、
前記固定刃は、その前端縁に前記刃先部分が形成され、その後端縁を中心として前記開閉フレームの開閉方向に旋回可能な状態で前記固定刃支持部材によって支持されていることを特徴とする鋏式記録紙切断装置。
【請求項１２】
請求項１０または１１において、
前記可動刃は、切断対象の記録紙の搬送方向に対して直交する方向に延びており、
前記固定刃は、前記可動刃に対して傾斜配置されていることを特徴とする鋏式記録紙切断装置。
【請求項１３】
請求項７ないし１２のうちのいずれかの項に記載の鋏式記録紙切断装置を備えたプリンタであって、
前記本体フレームに取り付けられた印字ヘッドと、
前記開閉フレームに取り付けられたプラテンと、
前記本体フレームにおける前記印字ヘッドよりも上側の位置に取り付けられた紙押さえローラと、
前記開閉フレームを閉じると、前記紙押さえローラに当接した状態となるように、当該開閉フレームにおける前記プラテンよりも上側の位置に取り付けられている紙送りローラとを有していることを特徴とするプリンタ。
【請求項１４】
請求項１３において、
前記本体フレームの側に形成された記録紙ロールの収納部と、
この収納部を開閉するための開閉蓋とを有しており、
この開閉蓋は前記開閉フレームに取り付けられていることを特徴とするプリンタ。
【請求項１５】
請求項１４において、
前記収納部から前記印字ヘッドによる前記印字位置を経由して、前記鋏式記録紙切断装置による切断位置に記録紙を導く記録紙搬送路を有しており、
この記録紙搬送路は、前記開閉フレームを開くと、開放状態になるように、当該開閉フレームと前記本体フレームの間に形成されていることを特徴とするプリンタ。
【発明の詳細な説明】
【０００１】
【発明の属する技術分野】
本発明は、本体フレームに対して開閉可能に取り付けられている開閉フレームを開けて記録紙ロールの交換などを行うロール紙プリンタなどのプリンタに関し、特に、排出される記録紙を切断するためにプリンタに搭載されている鋏式記録紙切断装置に関するものである。
【０００２】
【従来の技術】
プリンタ、例えば、ロール紙プリンタでは、記録紙ロール収納部に装填された記録紙ロールから繰り出された記録紙を印字位置を経由させて搬送し、当該記録紙上に所望の印字を行う。印字後の記録紙は印字位置よりも搬送方向の下流側に配置されている記録紙切断装置によって切断され、所定長さのレシートなどとして排出される。記録紙切断装置としては鋏式のものが知られている。この鋏式記録紙切断装置は固定刃と可動刃を備え、固定刃の刃先に対して可動刃の刃先が点接触状態で摺動するように可動刃が移動し、これらの間に位置している記録紙が切断される。
【０００３】
ここで、記録紙ロールの交換作業等を簡単に行うことができるようにするために、プリンタの本体フレームに対して開閉フレームを開閉可能に取り付け、記録紙ロールの収納部の開閉蓋を開閉フレームに取り付けると共に、本体フレームと開閉フレームの間に記録紙搬送路を形成した構成のプリンタが提案されている。この構成のプリンタでは、下記の特許文献などに開示されているように、鋏式記録紙切断装置の可動刃が本体フレームの側に搭載され、固定刃が開閉フレームの側に搭載されている。開閉フレームを閉じると、固定刃が本体フレーム側の位置決め用部材の表面に当たる。この位置決め用部材の表面には高さ調整用スペーサを介して可動刃が支持されている。高さ調整用スペーサと固定刃は例えば同一のプレス工程で打ち抜いた同一厚さの板であるので、固定刃と可動刃の位置決めが精度良く行われる。
【０００４】
また、鋏式記録紙切断装置では、固定刃と可動刃の点接触状態を形成するために、固定刃を切断対象の記録紙の搬送方向に直交する方向、一般的には水平方向に配置し、可動刃の側を僅かに傾斜配置している。可動刃の傾斜角度を調整するために角度調整用スペーサが用いられており、可動刃を移動可能な状態で支持すると共に弾性部材などによって固定刃に押し付けるようにしている。
【０００５】
【特許文献】
特開平９−１３１５９５号公報、図５、６、９
【０００６】
【発明が解決しようとする課題】
従来の鋏式記録紙切断装置では、固定刃と可動刃の位置決めのために位置決め用スペーサを配置し、また、可動刃の角度調整のために角度調整用スペースを用いている。これらの部品を省略できれば、その分、鋏式記録紙切断装置の小型化、コンパクト化および低価格化を実現できる。
【０００７】
また、従来の鋏式記録紙切断装置では、開閉フレームに固定刃が搭載され、固定刃の上側、すなわち開閉フレームの開き方向の側を可動刃が摺動するようになっている。このため、何らかの原因により切断動作が途中で止まった場合などにおいては、本体フレームに取り付けられている可動刃の下側に開閉フレームに搭載されている固定刃が位置したままとなる。従って、可動刃を元の位置に戻さないと開閉フレームを開けることができないので不便である。
【０００８】
本発明の課題は、このような点に鑑みて、小型・コンパクト化および低価格化を図るために有利なプリンタの鋏式記録紙切断装置を提案することにある。
【０００９】
また、本発明の課題は、可動刃が切断途中で止まった場合でも開閉フレームを開けることが可能なプリンタの鋏式記録紙切断装置を提案することにある。
【００１０】
さらに、本発明の課題は、かかる新しい鋏式記録紙切断装置を備えたプリンタを提案することにある。
【００１１】
【課題を解決するための手段】
上記の課題を解決するために、本発明は、本体フレームと、前記本体フレームに対して、開閉可能に取り付けた開閉フレームとを有するプリンタに搭載されている鋏式記録紙切断装置において、
前記本体フレームに搭載されている第１の刃と、
前記開閉フレームに搭載されている第２の刃とを有し、
前記第１の刃は固定刃および可動刃の一方であり、前記第２の刃は固定刃および可動刃の他方であり、前記可動刃の刃先が点接触状態で前記固定刃の刃先に沿って摺動して、前記固定刃および可動刃の間を通過する記録紙が切断されるようになっており、
前記第１および第２の刃が相対移動すると、前記第２の刃の刃先は、前記第１の刃の刃先に対して、前記開閉フレームの開き方向の側から接触することを特徴としている。
【００１２】
本発明の鋏式記録紙切断装置では、開閉フレームの側に搭載されている第２の刃が、当該開閉フレームの開き方向の側から本体フレームの第１の刃に点接触しならが記録紙の切断が行われる。従って、記録紙の切断途中で何らかの理由で切断動作が停止した場合においても、第１の刃に対して開閉フレーム側の第２の刃が開閉フレームの開き方向の側に位置しているので、そのままの状態で開閉フレームを開くことができる。よって、かかる事態の回復作業を簡単に行うことが可能になる。
【００１３】
ここで、本発明において、前記開閉フレームを閉じると、前記第２の刃の一部が前記第１の刃の一部に対して、前記開閉フレームの開き方向の側から当接して、前記第２の刃と前記第１の刃の相対的な位置決め状態が形成されることが望ましい。開閉フレームを閉じた状態において、双方の刃を直接に当接させることにより、位置調整用スペーサ等を必要とすることなく、双方の刃の位置決めを行うことができる。よって、鋏式記録紙切断装置の小型・コンパクト化および低コスト化を実現できる。
【００１４】
この場合、前記第１の刃の刃先側部分を前記開閉フレームの開閉方向に移動可能な状態で支持している支持部材と、前記第１の刃の刃先部分を前記開閉フレームの開き方向に向けてに付勢している付勢部材とを備えた構成とすればよい。
【００１５】
また、前記第１の刃を、その後端縁を中心として前記開閉フレームの開閉方向に旋回可能な状態で前記支持部材によって支持しておけば、第１の刃を旋回可能な状態で支持するための回動軸などを省略できるので、装置の小型・コンパクト化および低価格化に有利である。
【００１６】
ここで、第１の刃の代わりに、前記第２の刃の刃先側部分を前記開閉フレームの開閉方向に移動可能な状態で支持している支持部材と、前記第２の刃の刃先部分を前記開閉フレームの閉じ方向に向けて付勢している付勢部材とを有した構成とすることもできる。この場合においても、前記第２の刃を、その後端縁を中心として前記開閉フレームの開閉方向に旋回可能な状態で前記支持部材によって支持することが望ましい。
【００１７】
次に、本発明は、本体フレームと、前記本体フレームに対して、開閉可能に取り付けらた開閉フレームとを有するプリンタに搭載されている鋏式記録紙切断装置において、
前記本体フレームに搭載されている固定刃と、
前記開閉フレームに搭載されている可動刃とを有し、
前記可動刃の刃先が点接触状態で前記固定刃の刃先に沿って摺動して、前記固定刃および可動刃の間を通過する記録紙が切断されることを特徴としている。
【００１８】
この構成によれば、前記可動刃の刃先を、前記固定刃の刃先に対して、前記開閉フレームの開き方向の側から接触させることができる。
【００１９】
また、前記開閉フレームを閉じた際に、前記可動刃の一部が前記固定刃の一部に対して、前記開閉フレームの開き方向の側から当接させ、前記可動刃と前記固定刃の相対的な位置決め状態を形成することができる。
【００２０】
この場合、前記固定刃の刃先側部分を前記開閉フレームの開閉方向に移動可能な状態で支持している固定刃支持部材と、前記固定刃の刃先部分を前記開閉フレームの開き方向に向けて付勢している付勢部材とを備えた構成を採用すればよい。
【００２１】
また、前記固定刃は、その前端縁に前記刃先部分が形成され、その後端縁を中心として前記開閉フレームの開閉方向に旋回可能な状態で前記固定刃支持部材によって支持されたものとすることができる。
【００２２】
さらに、前記可動刃を、切断対象の記録紙の搬送方向に対して直交する方向に配置し、前記固定刃を、前記可動刃に対して傾斜配置することが望ましい。このようにすれば、テープ状の記録紙を幅方向に直角に切断できる。
【００２３】
一方、本発明は、上記構成の鋏式記録紙切断装置を備えたプリンタであって、
前記本体フレームに取り付けられた印字ヘッドと、
前記開閉フレームに取り付けられたプラテンと、
前記本体フレームにおける前記印字ヘッドよりも上側の位置に取り付けられた紙押さえローラと、
前記開閉フレームを閉じると、前記紙押さえローラに当接した状態となるように、当該開閉フレームにおける前記プラテンよりも上側の位置に取り付けられている紙送りローラとを有していることを特徴としている。
【００２４】
ロール紙プリンタの場合には、更に、前記本体フレームの側に形成された記録紙ロールの収納部と、この収納部を開閉するための開閉蓋とを有し、この開閉蓋が前記開閉フレームに取り付けられた構成とされる。
【００２５】
また、記録紙ロールの交換作業等を簡単に行うことができるようにするためには、前記収納部から前記印字ヘッドによる前記印字位置を経由して、前記鋏式記録紙切断装置による切断位置に記録紙を導く記録紙搬送路を、前記開閉フレームを開くと、開放状態になるように、前記開閉フレームと前記本体フレームの間に形成しておくことが望ましい。
【００２６】
【発明の実施の形態】
以下に、図面を参照して、本発明を適用したプリンタの実施の形態を説明する。
【００２７】
（全体構成）
図１は本実施の形態に係る鋏式記録紙切断装置が搭載されたプリンタの外観斜視図であり、図２はその概略縦断面図であり、図３は開閉蓋を開けた状態での概略縦断面図であり、図４はその主要部分を示す部分拡大断面図である。
【００２８】
これらの図を参照して説明すると、プリンタ１は、その四周側面を覆う矩形枠状のケース本体２と、プリンタ上面の前側部分を覆う前側開閉蓋３および後側部分を覆う後側開閉蓋４とを備え、これらによりプリンタケースが構成されている。プリンタケースにはプリンタユニット１１が内蔵されており、開閉蓋３、４の間の位置には記録紙排出口５が形成されている。後側の開閉蓋４は、スライドボタン６を操作すると、そのロック機構（図示せず）が外れて、図３に示すように開けることが可能になる。開閉蓋４を開けると、プリンタユニット１１における記録紙ロール７の収納部８が露出し、記録紙ロール７の交換などを行うことができる。また、前側の開閉蓋３を開けると、プリンタユニット１１のインクリボンのリボンカセット９を着脱可能に装着するリボンカセット装着部１０が露出し、リボンカセット９の交換などを行うことができる。
【００２９】
次に、プリンタ内部の構成を説明する。プリンタユニット１１の後側の部分には、側方から見た場合に上方に開口した円弧状の底面を備えた記録紙ロール７の収納部８が形成されている。ここに装填された記録紙ロール７から引き出された記録紙７ａは、収納部８の前端部分に配置されているガイドローラ１４を介して記録紙搬送路１５に導かれる。記録紙搬送路１５は、前方に向けて上方に僅かに傾斜している搬送路部分１６と、この搬送路部分１６の前端から上方に大きな傾斜角度で立ち上がっている前方傾斜路部分１７と、この前方傾斜路部分１７の上端から後方に向けて傾斜して記録紙排出口５に繋がっている後方傾斜路部分１８を備えている。図２、図４においては記録紙７ａを一点鎖線で示してある。
【００３０】
搬送路部分１６は搬送ガイド１６ａと、これに対峙している搬送面１６ｂとによって規定されている。これに続く前方傾斜路部分１７は、ドットインパクト方式の印字ヘッド２０のヘッド面２０ａと、これに対して一定間隔で対峙しているプラテン２１とによって規定されており、印字ヘッド２０による印字位置となっている。印字ヘッド２０は、そのヘッド面２０ａが後向きで、上方に傾斜した方向を向くように配置されている。印字ヘッド２０の傾きに対応させて、プラテン２１の表面は前方に向けて下方に傾斜した状態に配置されている。印字ヘッド２０はヘッドキャリッジ２２に搭載されており、ヘッドキャリッジ２２は、キャリッジガイド軸２３に沿って幅方向に往復移動可能となっている。
【００３１】
ヘッドキャリッジ２２の上側にはリボンカセット９の装着部１０が形成されている。当該装着部１０も後方に向けて上側に向かうように傾斜配置されている。従って、ここに装着したリボンカセット９のインクリボン９ａは、印字ヘッド２０とプラテン２１の間に、これらと平行となるようにセット可能である。
【００３２】
前方傾斜路部分１７に連続している後方傾斜路部分１８は、プラテン２１の上端から後方に向けて折れ曲がった方向に延びている搬送ガイド２８によって規定されている。この後方傾斜路部分１８には、紙送りローラ２５と、紙押さえローラ２６と、紙押さえローラ２６を紙送りローラ２５に付勢している付勢部材としてのトーションバー２７を備えた紙送り機構が配置されている。紙送りローラ２５は後方傾斜路部分１８の後側に配置され、紙押さえローラ２６はその前側において、ローラ取付板２９（固定刃支持部材）に対して紙送りローラ２５に接近する方向に移動可能に支持され、常に、トーションバー２７のばね力によって紙送りローラ２５の側に付勢されている。
【００３３】
記録紙ロール７から引き出された記録紙７ａは、紙送りローラ２５と紙押さえローラ２６の間に挟まれ、不図示の駆動源によって紙送りローラ２５を回転することによって搬送路１５に沿って搬送される。なお、本例では、プラテン２１と、その下側に連続している搬送ガイド１６ａが単一部品であるプラテンフレーム５５によって形成され、このプラテンフレーム５５の上端部分に搬送ガイド２８が取り付けられている。
【００３４】
次に、記録紙排出口５の近傍には、記録紙を切断するための鋏式記録紙切断装置３０が配置されている。鋏式記録紙切断装置３０は、記録紙の搬送経路を挟み、前側に配置された固定刃３１と、後側に配置された可動刃３２と、可動刃３２を動作させるための駆動機構３３とを備えている。可動刃３２および駆動機構３３はケース３４に内蔵されている。固定刃３１と可動刃３２との間にある記録紙７ａは、可動刃３２の刃先３２ａが固定刃３１の刃先３１ａの上面側を点接触状態で摺動することによって切断される。また、記録紙排出口５の前縁部分には手動操作により記録紙を切断可能な切断刃３５が取り付けられている。
【００３５】
（プリンタユニット）
図５はプリンタケースに内蔵されているプリンタユニット１１を示す斜視図であり、図６はその開閉側ユニットを開けた状態を示す斜視図である。プリンタユニット１１は、固定側ユニット１２と、開閉側ユニット１３とを備え、開閉側ユニット１３はその後端部分を中心として上下に回転可能な状態で固定側ユニット１２によって支持されている。
【００３６】
本例のプリンタユニット１１では、記録紙ロール７の交換作業などを簡単に行うことができるようにするために、記録紙ロールの収納部８の開閉蓋４を開けると、上記構成の記録紙搬送路１５も開放状態となるように構成されている。そのために、固定側ユニット１２に記録紙搬送路１５を構成している一方の側の構成部品を取り付け、移動側である開閉側ユニット１３には開閉蓋４と、搬送路１５を構成している他方の側の構成部品を取り付け、開閉側ユニット１３を開くと、記録紙ロール７の収納部８が開放されると同時に、記録紙搬送路１５も開放されるようになっている。
【００３７】
詳細に説明すると、固定側ユニット１２には、記録紙ロールの収納部８、搬送路部分１６の搬送面１６ｂ、印字ヘッド２０、紙押さえローラ２６および自動切断ユニット３０の固定刃３１が取り付けられている。これに対して、開閉側ユニット１３には、搬送路部分１６、前方傾斜路部分１７および後方傾斜路部分１８を規定しているプラテンフレーム５５（搬送ガイド１６ａ、プラテン２１）およガイド板２８と、紙送りローラ２５と、自動切断ユニット３０の可動刃３２および駆動機構３３が取り付けられている。また、図３に示すように、開閉蓋４も取り付けられている。
【００３８】
図３および図６から分かるように、開閉側ユニット１３を全開にすると、上方から記録紙ロール７を収納部８に落とし込むという簡単な操作により記録紙ロール７を装填できる。また、搬送路１５が開放状態になっているので、搬送路１５に沿って記録紙ロール７から引き出した記録紙７ａを配置する操作も極めて簡単である。さらに、開閉側ユニット１３を閉じて図２、図４、図５に示す状態に戻すと、記録紙７ａが印字ヘッド２０とプラテン２１の間、および紙送りローラ２５と紙押さえローラ２６の間、および自動切断ユニット３０の固定刃３１と可動刃３２の間をそれぞれ通って記録紙排出口５から引き出された状態が自動的に形成される。
【００３９】
次に、これら固定側ユニット１２および開閉側ユニット１３の構造を更に詳しく説明する。まず、固定側ユニット１２は本体フレーム４０を備えており、この本体フレーム４０の前側部分にはキャリッジガイド軸２３が幅方向に架け渡されている。このキャリッジガイド軸２３には、前述のように、印字ヘッド２０を搭載したヘッドキャリッジ２２が往復移動可能な状態で支持されている。これらヘッドキャリッジ２２および印字ヘッド２０を覆う状態にリボンフレーム４１が取りつけられており、このリボンフレーム４１の外周部分がリボンカセット９の装着部１０とされている。
【００４０】
本体フレーム４０の後側の部分には記録紙ロール７を装填するための収納部８が形成されており、この収納部８の後端部分には、幅方向に延びる回転中心軸４３が本体フレーム４０に掛け渡されている。この回転中心軸４３が開閉側ユニット１３の回転中心となっている。
【００４１】
一方、開閉側ユニット１３は開閉フレーム５１を有しており、この開閉フレー５１は、前後方向に延びる左右の腕部分５２、５３と、これら腕部分５２、５３の前端部分を連結している前端連結板部分５４とを備えている。左右の腕部分５２、５３の後端部分は、上記の回転中心軸４３の両端部分によって回転自在に支持されている。開閉フレーム５１の前端連結部分５４の前端にはプラテンフレーム５５が取り付けられており、この裏面側には紙送りローラ軸２５ａが取り付けられており、このプラテンフレーム５５に取り付けられているガイド板２８に形成した開口部２８ａ、２８ａからは、紙送りローラ軸２５ａに同軸状に固定した２個の紙送りローラ本体２５ｂ、２５ｂの外周面が前方に突出している。開閉フレーム５１の前端連結板部分５４の上には、鋏式記録紙切断装置３０の可動刃３２および駆動機構３３が搭載されている。
【００４２】
ここで、図２、３から分かるように、本例の固定側ユニット１２においては、前述のように、印字ヘッド２０が上方を向くように傾斜配置されており、これに対応するように、装着部１０に装着されたリボンカセット９も同一方向に傾斜配置された状態となる。また、開閉側ユニット１３の側においては、印字ヘッド２０のヘッド面２０ａに対して一定間隔で平行に対峙するように、プラテン２１が下方を向くように傾斜配置されている。また、開閉側ユニット１３の回転中心、すなわち回転中心軸４３の中心軸線の高さ位置は、印字ヘッド２０のヘッド面２０ａよりも下側とされている。
【００４３】
この結果、開閉側ユニット１３の開閉に伴う当該開閉側ユニット先端部分の移動軌跡、すなわち、印字ヘッド２０に対峙しているプラテン２１の上端および下端の移動軌跡は、印字ヘッド２０に一定間隔で対峙している位置（開閉側ユニット１３が閉じている状態の位置）から、印字ヘッド２０のヘッド面２０ａに対して、前方あるいは上方ではなく、後方に遠ざかる円弧になる。よって、開閉側ユニット１３の開閉時に、プラテン２１が印字ヘッド２０に当たることがない。
【００４４】
また、開閉側ユニット１３の回転中心（回転中心軸４３の中心）は印字ヘッド２０のヘッド面２０ａよりも下側に位置しているので、プラテン２１の上下の端の移動軌跡は、開閉側ユニット１３の移動に伴う後方への移動量が大きい。この結果、印字位置１７の真上には、開閉側ユニット１３の移動軌跡に掛からないスペース（側方から見た場合に逆三角形のスペース）ができる。本例では、このスペースを利用して、紙押さえローラ２６、トーションバー２７、自動切断ユニット３０の固定刃３１、切断刃３５等を配置してある。従って、装置構成を小型でコンパクトにすることができる。
【００４５】
さらに、本例では、印字ヘッド２０を傾斜配置したことに伴って、リボンカセット９の装着部１０も傾斜配置されている。この結果、リボンカセット９は、当該装着部１０に対して、前方上側から斜め方向に着脱される。印字位置１７の真上には紙押さえローラ２６、自動切断ユニット３０の固定刃３１、切断刃３５が配置されているが、これらに邪魔されることなく、リボンカセット９を着脱できる。よって、リボンカセット９の着脱をワンタッチで行うことができるという利点がある。
【００４６】
さらにまた、印字ヘッド２０およびプラテン２１の傾斜角度と、開閉側ユニット１３の回転中心線４３ａの高さ位置の一方あるいは双方を調整することにより、開閉側ユニット１３の移動軌跡を変更できる。これにより、印字位置１７の真上に形成されるプラテン２１移動軌跡に掛からないスペースを増減でき、部品レイアウトの自動度が増すという利点もある。
【００４７】
（鋏式記録紙切断装置）
次に、図７は、固定側ユニット１２に搭載されている鋏式記録紙切断装置３０の固定刃３１の取り付け部分をプリンタ後側から見た場合の部分立面図である。図８は固定刃３１等が取り付けられているローラ取付板２９をプリンタ後側から見た場合の斜視図である。図９は図８に示すローラ取付板２９をプリンタ前側から見た場合の斜視図である。図１０は固定刃３１と板ばねを示す斜視図である。
【００４８】
これらの図を参照して、本例の鋏式記録紙切断装置３０における固定刃３１の支持構造を説明する。まず、固定刃３１が取り付けられているローラ取付板２９は、ガイド板２８にほぼ平行に対峙しているガイド板部分６１を備え、このガイド板部分６１の上端には、プリンタ前方に折れ曲がって水平に延びている水平板部分６２が連続している。また、水平板部分６２の前端には、上方に折れ曲がって垂直に延びている垂直板部分６３が連続しており、この垂直板部分６３の上端には、プリンタ後方に折れ曲がって水平に延びる切断刃保持板部分６４が連続している。この切断刃保持板部分６４の後端部分は斜め後方に折れ曲がっており、この部分の上端に切断刃３５が一体形成されている。この構成のローラ取付板２９は、その水平板部分６２の両端部が、固定側ユニット１２における本体ユニット４０の左右の後側端板部分４４、４５の上端部分に架け渡され、これらの部分に固定されている。
【００４９】
ローラ取付板２９の水平板部分６２の上面には板ばね９１が取り付けられている。本例では、板ばね９１の両端を固定ねじ９２ａ、９２ｂによって水平板部分６２に固定している。板ばね９１は、その幅方向の中央から左右に斜め上方に向けて延びる板ばね部分９１ａ、９１ｂが曲げ起しにより形成されている。双方の板ばね部分９１ａ、９１ｂは同一の長さに形成されているが、曲げ起された先端部の高さは左側の板ばね部分９１ａの方が高い。この板ばね９１の上に固定刃３１が支持されている。
【００５０】
固定刃３１は、プリンタ後側に面している端面の上端縁部分が刃先３１ａとされている。刃先３１ａの右端に連続した部分にはプリンタ後方側に突出している可動刃当接面３１ｂが形成されている。この可動刃当接面３１ｂはプリンタ後側に向けて下方に傾斜した傾斜面とされている。固定刃３１の反対側の端面部分の両端には掛止用突起３１ｃ、３１ｄが外方に突出している。ここで、板ばね９１の両端には、それぞれ垂直に固定刃支持片９１ｃ、９１ｄが切り起こされている。これらの固定刃支持片９１ｃ、９１ｄに形成したＬ形の支持面に、それぞれ固定刃３１の掛止用突起３１ｃ、３１ｄが支持されている。
【００５１】
一方、固定刃３１のプリンタ前側の端面における両端部分からはプリンタ前方に突出した左右一対の突起３１ｅ、３１ｆが形成されている。ローラ取付板２９の垂直板部分６３には、これらの突起３１ｅ、３１ｆが差し込まれているスリット６３ａ、６３ｂが形成されている。突起３１ｅ、３１ｆは先端側（プリンタ前側）に向けて厚さが漸減している。これに対してスリット６３ａ、６３ｂの幅は一定である。よって、固定刃３１は、その刃先３１ａの側が上下に回動可能な状態で垂直板部分６３に取り付けられている。
【００５２】
ここで、左側のスリット６３ａは右側のスリット６３ｂよりも高い位置に形成されている。よって、固定刃３１は、左側から右側に向けて下方に僅かに傾斜した傾斜姿勢で垂直板部分６３に取り付けられている。上記のように、板ばね９１の左側の板ばね部分９１ａの方が右側の板ばね部分９１ｂよりも高いので、固定刃３１は全体として一定のばね力で傾斜姿勢のまま上方に付勢されている。
【００５３】
図１１には、可動刃３２による固定刃３１の移動状態を示す説明図である。図５および図１１（ａ）に示すように、可動刃３２は、右端部の垂直軸３２ｂを中心として実線で示す待機位置から想像線で示す切断終了位置までの間を駆動機構３３によって回動させることができる。前述のように、可動刃３２のプリンタ前側の端面における下側縁部分が刃先３２ａとされている。この刃先３２ａの右側端に連続している部分は、実線で示す待機状態において、固定刃３１の可動刃当接面３１ｂに対して上側（開閉フレーム５１の開き方向の側）から当接可能な固定刃当接面３２ｃとなっている。可動刃３２の刃先３２ａは水平となるように配置されている。すなわち、印字位置を通過して排出される記録紙７ａの搬送方向に直交する方向に延びている。
【００５４】
このように構成されている自動切断ユニット３０の動作を説明する。まず、可動刃３２の待機状態では、図１１（ａ）、（ｂ）、（ｃ）に示すように、その固定刃当接面３２ｃが固定刃３１の可動刃当接面３１ｂに対して上側から当接している。駆動機構３３によって可動刃３２が駆動されると、可動刃３２の刃先３２ａはその右端側（回転中心の側）から固定刃３１の刃先３１ａに乗り上げる。可動刃３２の固定刃３１の側への旋回に伴って、それらの接触点が左側に移動する。
【００５５】
ここで、可動刃３２は水平面上を旋回する。これに対して、固定刃３１は左側に向けて上方に僅かに傾斜した姿勢に保持され、そのプリンタ前側端面の下縁３１ｇを中心として上下に回動可能な状態で垂直板部分６３に取り付けられ、板ばね９１によって常に上方に付勢されている。従って、可動刃３２の旋回に伴って、これらの接触点が左側に移動すると、図１１（ｄ）、（ｅ）に示すように、固定刃３１の刃先３２ａ側の部分が下方に押し下げられる。可動刃３２が切断終了位置に到ると、可動刃３２の下側に固定刃３１が水平状態に保持される。このように、双方の刃の接触点は右側から左側に向けて水平に移動するので、記録紙７ａは水平に切断される。すなわち、搬送方向に直交する方向に切断される。
【００５６】
可動刃３２による切断途中の状態で、すなわち、可動刃３２と固定刃３１が交差した状態で、何らかの原因により可動刃３２の旋回が停止した場合、可動刃３２を待機位置に戻すことなく、開閉側ユニット１３を開けることができる。すなわち、開閉側ユニット１３の開閉フレーム５１の先端に搭載されている可動刃３２は、本体フレーム４０の側に搭載されている固定刃３１に対して、上側（開閉フレーム５１の開き方向の側）から当接している。従って、可動刃３２が固定刃３１に交差状態であっても、そのまま開閉側ユニット１３を開けることが可能である。よって、可動刃３２が切断途中で停止した場合などの回復作業を迅速且つ簡単に行うことが可能である。
【００５７】
次に、開閉側ユニット１３を開けて収納部８に対する記録紙ロール７の交換作業等を行った後に開閉側ユニット１３を閉じると、固定刃３１と可動刃３２の位置決めが自動的に行われる。すなわち、開閉側ユニット１３に搭載されている可動刃３２には固定刃当接面３２ｂが形成されており、開閉側ユニット１３を閉じると、この固定刃当接触面３２ｂが、固定側ユニット１２に搭載されている固定刃３１の可動刃当接面３１ｂに上側から当たり、固定刃３１を板ばね９１のばね力に逆らって僅かに下方に押し込む。これにより、固定刃３１と可動刃３２の上下方向の位置決め状態が自動的に形成される。
【００５８】
以上説明したように、本例のプリンタ１の鋏式記録紙切断装置３０では、本体フレーム４０に固定刃３１を搭載し、開閉フレーム５１に可動刃３２を搭載し、可動刃３２を固定刃３１の刃先３１ａの上側（開閉フレーム５１の開き方向の側）に沿って点接触状態で摺動させることにより記録紙７ａを切断するようにしている。従って、可動刃３２が切断途中において停止して、固定刃３１と交差状態になっても、その状態のままで開閉フレーム５１を開けることができる。よって、かかる事態の回復作業を迅速かつ簡単に行うことができる。
【００５９】
また、開閉フレーム５１の閉じ動作時には、開閉フレーム５１の開き方向の側から可動刃３２を固定刃３１に当接させることにより固定刃３１に対して可動刃３２を位置決めしている。従って、開閉フレームに搭載されている固定刃を本体フレームの側の位置決め用の面に押し当て、当該面の表面に固定刃と同一厚さの位置決め用スペーサを介して取り付けられる可動刃に対して位置決めを行っている従来の位置決め機構に比べて構造が簡単になり、部品点数を減らすことができる。よって、鋏式記録紙切断装置３０の小型・コンパクト化および低価格化を実現できる。
【００６０】
さらに、上下方向に移動可能な状態で支持されている固定刃３１は、そのプリンタ前側の端面の下側の縁３１ｇを中心として上下に回動可能となっている。よって、固定刃３１の両端に回転軸などを取り付けて回動可能に支持する場合に比べて構造が簡単になり、部品点数を減らすことができる。この点においても、鋏式記録紙切断装置の小型・コンパクト化および低価格化を実現できる。
【００６１】
さらには、上下に回動可能に支持した固定刃３１を斜めに配置し、可動刃３２を水平（記録紙搬送方向に直交する方向）に配置することにより、両刃の接触点を水平に移動させるようにしている。この構成によれば、角度調整用スペーサを用いて可動刃を上下に移動可能な状態で水平に配置した固定刃の側に押し付けている従来の場合に比べて構造を簡単化できる。この点においても、鋏式記録紙切断装置の小型・コンパクト化および低価格化を実現できる。
【００６２】
（紙送り機構）
次に、図７、８、９を参照して、紙送りローラ２５、紙押さえローラ２６およびトーションバー２７を備えた紙送り機構を説明する。
【００６３】
ローラ取付板２９のガイド板部分６１には、左半部分に、横長の２つの開口部６５、６６が形成されており、これらの開口部６５、６６からはそれぞれ紙押さえローラ２６の２つのローラ本体２６ｂ、２６ｂの外周面がプリンタ後側に所定量だけ突出している。これらのローラ本体２６ｂ、２６ｂは、それぞれ、プリンタ後側に位置している紙送りローラ２５の２つのローラ本体２５ｂ、２５ｂに対してトーションバー２７による弾性力で付勢されている（図４参照）。ガイド板部分６１の前側表面には、開口部６５、６６の外側の端部をプリンタ前側に切り起こすことにより形成したローラ軸受け部６７、６８が形成されている。ローラ軸受け部６７、６８には、紙送りローラ２５の側に長い長円形の軸受け穴６７ａ、６８ａが形成されている。これらの軸受け穴６７ａ、６８ａには、紙押さえローラ２６のローラ本体２６ｂ、２６ｂが回転自在に支持されているローラ軸２６ａの両端がスライド可能な状態で挿入されている。
【００６４】
次に、ガイド板部分６１の上端に連続している水平板部分６２の下面６２ａには当該下面６２ａに平行な状態でプリンタ幅方向に延びるトーションバー２７が取り付けられている。トーションバー２７は、円形断面のトーションバー素材を折り曲げ加工することにより形成されたものであり、左右の直線状部分２７１、２７２と、これらの間に形成されている下方にＵ字状に折り曲げられたローラ軸押さえ部分２７３（第２の折り曲げ部分）と、直線状部分２７１、２７２の外端を下方にほぼ直角に折り曲げることにより形成された掛止腕２７４、２７５（第１の折り曲げ部分）とを備えている。
【００６５】
水平板部分６２の下面６２ａには、プリンタ前側からトーションバー２７を差込可能な差込溝７１、７２、７３が形成されている。差込溝７１は短い直線状部分２７１を差し込むためのものであり、差込溝７２、７３は長い直線状部分２７２を差し込むためのものである。これらの差込溝７１〜７３は、水平板部分６２をその下面６２ａの側に切り起こしてプリンタ前側に折り曲げることにより形成されたものである。また、水平板部分６２の下面６２ａには、プリンタ後側にトーションバー２７を押し付けている押さえ部７４、７５、７６も形成されている。押さえ部７４、７５はそれぞれ直線部分２７１、２７２に対してプリンタ前側から当接している。また、押さえ部７６はローラ軸押さえ部分２７３の折り曲がり部分に対してプリンタ前側から当接している。これらの押さえ部７４〜７６も水平板部分６２を下面６２ａの側に切り起こすことにより形成したものである。
【００６６】
トーションバー２７を、差込溝７１〜７３に差し込むと共に、押さえ部７４〜７６にプリンタ後側から当接させた状態となるように、水平板部分６２の下面６２ａに取り付けると、トーションバー２７のプリンタ前後方向の位置が定まる。また、直線状部分２７１、２７２は前後方向から差込溝７１〜７３および押さえ部７４、７５によって挟まれた状態になるので、直線部分２７１、２７２に曲がりが発生することを阻止できる。さらに、トーションバー２７のローラ軸押さえ部分２７３を紙押さえローラ２６、２６の間から露出しているローラ軸２６ａの部分にプリンタ前側から押し付けた状態を形成できる。
【００６７】
ここで、トーションバー２７の左右の端に形成されている掛止腕２７４、２７５は、それぞれ、固定側ユニット１２の左右の側板部分に形成された受け部（図示せず）に対して、プリンタ後側から掛止される。掛止腕２７４、２７５は、プリンタ後側に強制的に曲げた状態で取り付けられる。トーションバー２７のローラ軸押さえ部分２７３はプリンタ後側からローラ軸２６ａに当接しているので、左右の直線状部分２７１、２７２にはねじり力が作用し、このねじり力がローラ軸２６ａに作用する。この結果、ローラ軸２６ａに回転自在の状態で支持されている紙押さえローラ２６のローラ本体２６ｂ、２６ｂが、紙送りローラ２５のローラ本体２５ａ、２５ａに所定の弾性力で付勢された状態が形成される。
【００６８】
また、トーションバー２７は、紙押さえローラ２６における左右のローラ本体２６ｂ、２６ｂの間のローラ軸２６ａの部分を押しており、ローラ軸２６ａはスライド可能な状態で支持されている。従って、紙押さえローラ２６、２６が紙送りローラ２５、２５と平行でない場合でも、左右の紙押さえローラ２６のローラ軸２６ａが紙送りローラ２５に平行となるように自動調芯され、紙送りローラ２５に対して均等な押付け力で押付けられる。
【００６９】
このように、本例の紙送り機構では、紙押さえローラ２６を紙送りローラ２５に付勢するためにトーションバー２７を用いている。このトーションバー２７には、直線状部分２７１、２７２と、これらの直線状部分２７１、２７２にねじりを発生させる力が作用する両端の掛止腕２７４、２７５と、直線状部分に発生するねじり力によって紙押さえローラのローラ軸２６ａを付勢しているローラ軸押さえ部分２７３が形成されている。
【００７０】
従って、本例の紙送り機構は、紙押さえローラ２６のローラ軸２６ａに捻りばねを取り付けるスペースが無い場合や、ローラ軸２６ａの両端にコイルばね等を取り付けるスペースが無い場合に有効である。
【００７１】
例えば、図８に想像線で示すように、ガイド板部分６１における紙押さえローラ２６の両側には、記録紙７ａの裏面に印刷されているブラックマークを読み取るための光学式センサ８１、８２、８３が配置される場合がある。この場合には、ローラ軸２６ａの左右の端を固定側ユニット１２の左右の端まで延ばして、付勢力をローラ軸２６ａに与えるためのコイルばね等の部材を取り付けることができない。このような場合に本例のトーションバー２７を用いた付勢機構を採用すると有利である。
【００７２】
また、本例では、ローラ取付板２９に、ローラ軸受け部６７、６８と共に切断刃３５およびトーションバー２７の取付部分を形成してある。従って、紙送り機構の部品点数を削減できる。なお、トーションバー２７の掛止腕２７４、２７５を掛止させるための掛止部分もローラ取付板２９に形成することもできる。
【００７３】
さらに、ローラ取付板２９に形成されているトーションバー２７の取付部分は、プリンタ前側からトーションバー２７を差込固定可能な差込溝７１〜７３によって構成されている。よって、トーションバー２７の取付作業が簡単である。また、これら差込溝７１〜７３と押さえ部７４〜７６とによってトーションバー２７の直線状部分２７１、２７２が曲がることの無い様に支持されているので、トーションバー２７のねじり力によって確実に紙押さえローラ２６を付勢することができる。
【００７４】
さらにまた、紙押さえローラ２６のスライド可能に支持されているローラ軸２６ａにおける２つのローラ本体２６ｂ、２６ｂの間の部分を付勢しているので、紙押さえローラ２６を全体として均一な付勢力で紙送りローラ２５の側に押し付けることができ、片当たり状態などの不具合を防止できる。
【００７５】
なお、本例では、紙押さえローラ２６として２つのローラ本体２６ｂ、２６ｂを備えているが、３つ以上としてもよい。この場合には、これらのローラ本体の間に位置するローラ軸２６ａの部分をそれぞれ付勢できるように、２つ以上のローラ押さえ部分２７３をトーションバー２７に形成すればよい。
【００７６】
（鋏式記録紙切断装置の他の実施の形態）
本例の鋏式記録紙切断装置３０では、可動刃３２を開閉フレーム５１に搭載し、固定刃３１を本体フレーム４０に搭載しているが、逆に、可動刃３２を本体フレーム４０に搭載し、固定刃３１を開閉フレーム５１に搭載することも可能である。この場合においても、固定刃３１を可動刃３２に対して開閉フレーム５１の開き方向の側から押し付けることにより、双方の位置決めを行うことができる。また、固定刃３１における開閉フレーム５１の開き方向の側から可動刃３２を点接触状態で摺動させて記録紙を切断するようにすれば、可動刃３２が切断途中で止まった場合でも開閉フレーム５１を開けることができる。さらに、上記の例では、固定刃３１を上下に回動可能な状態で板ばね９１によって支持しているが、可動刃３２の側を上下方向に回動可能な状態で支持することも可能である。
【００７７】
次に、上記の例は、ドットインパクト式の印字ヘッドを備えたプリンタに関するものであるが、印字ヘッドとしてインクジェットヘッドを用いたプリンタに対しても本発明を同様に適用可能である。さらに、印字ヘッドとしてサーマルヘッドのような接触型のものを用いたプリンタに対しても適用可能である。
【００７８】
また、上記の例は、搬送機構を構成している紙送りローラおよび紙押さえローラが印字ヘッドの上側に配置されているが、搬送機構が印字ヘッドより下側（搬送経路の上流側）に配置された場合でも本発明を同様に適用可能である。
【００７９】
【発明の効果】
以上説明したように、本発明のプリンタの鋏式記録紙切断装置では、その固定刃および可動刃のうち、開閉フレームの側に搭載されている側の刃が、開閉フレームの開き方向の側から本体フレームの側に搭載されている刃に点接触状態で接触して記録紙を切断するようになっている。従って、記録紙の切断途中において双方の刃が交差状態のまま停止した場合においても、その状態のままで開閉フレームを開けることができる。よって、かかる事態の回復動作を迅速かつ簡単に行うことができる。
【００８０】
また、開閉フレームの閉じ動作時には、開閉フレームの側に搭載されている刃を本体フレームの側の刃に押し付けることにより自動的に双方の刃の位置決めがなされる。よって、開閉フレームの側の刃を位置決めするための面や本体フレーム側の刃を支持している位置決め用スペーサが必要な従来の位置決め機構に比べて、構造が簡単になり、部品点数を削減できるので、小型・コンパクトで廉価な記録紙切断装置を実現できる。
【００８１】
さらに、付勢部材によって支持されている刃は、刃先とは反対側の端縁を中心として回動可能な状態で支持されているので、回転軸などを用いて回動可能に支持する場合に比べて構造を簡単化でき、部品点数も削減できる。この構成によっても、記録紙切断装置の小型・コンパクト化および低価格化を実現できる。
【図面の簡単な説明】
【図１】本発明を適用したプリンタの外観斜視図である。
【図２】図１のプリンタの概略縦断面図である。
【図３】図１のプリンタにおける開閉蓋を開けた状態での概略縦断面図である。
【図４】図１のプリンタの主要部分を拡大して示す部分拡大断面図である。
【図５】図１のプリンタに内蔵されているプリンタユニットを示す斜視図である。
【図６】図５のプリンタユニットにおいて、開閉側ユニットを開いた状態を示す斜視図である。
【図７】図１のプリンタにおける固定刃が取り付けられている部分をプリンタ後側から見た場合の部分立面図である。
【図８】図７に示す部分をプリンタ後側から見た場合の斜視図である。
【図９】図８に示す部分をプリンタ前側から見た場合の斜視図である。
【図１０】図７の固定刃および板ばねを示す斜視図である。
【図１１】図１のプリンタにおける鋏式記録紙切断装置の動作を示す説明図である。
【符号の説明】
１  プリンタ、４  開閉蓋、５  記録紙排出口、７  記録紙ロール、８  記録紙ロールの収納部、９  リボンカセット、１０  リボンカセットの装着部、１１  プリンタユニット、１２  固定側ユニット、１３  開閉側ユニット、１５  記録紙搬送路、１６  搬送路部分、１７  前方傾斜路部分、１８  後方傾斜路部分、２０  印字ヘッド、２０ａ  ヘッド面、２１  プラテン、２５  紙送りローラ、２６  紙押さえローラ、２７  トーションバー、２７１、２７２  直線状部分、２９  ローラ取付板、６１  ガイド板部分、６２  水平板部分、６３  垂直板部分、６４  切断刃保持板部分、３０  鋏式記録紙切断装置、３１  固定刃、３１ａ  刃先、３１ｂ  可動刃当接面、３１ｇ  下縁、３２  可動刃、３２ａ  刃先、３２ｃ  固定刃当接面、３３  駆動機構、３５  切断刃、４０  本体フレーム、４３  回転中心軸、４３ａ  中心軸線、５１  開閉フレーム、５２、５３  左右の腕部、５４  前端連結板部分、９１  板ばね、９１ａ、９１ｂ  板ばね部分
【図１】
2004268207.tif 000003
【図２】
2004268207.tif 000004
【図３】
2004268207.tif 000005
【図４】
2004268207.tif 000006
【図５】
2004268207.tif 000007
【図６】
2004268207.tif 000008
【図７】
2004268207.tif 000009
【図８】
2004268207.tif 000010
【図９】
2004268207.tif 000011
【図１０】
2004268207.tif 000012
【図１１】
2004268207.tif 000013